(57)【要約】【課題】底蓋フラップの構造を改良して、開封の形跡が明確に残り、不正開封が直ちに判明するボトムロック函体を提供する。【解決手段】妻板１，３と側板２，４および糊代片５とを水平方向に順次連設し、上記妻板と側板の下縁にそれぞれ底蓋フラップを連設し、上記底蓋フラップの右端に４５度の傾斜折り畳み線ｉ，ｊを設けて貼り付け片１１，１２とし、この貼り付け片が、上記底蓋フラップの貼り付け部１１ｘ，１２ｘに貼り付けられるようにしたボトムロック函体１０において、上記底蓋フラップ７，９の１／２幅の位置に、縦方向で妻板の幅の１／２高さのミシン目ｋ，ｌを入れ、そのミシン目の下端から貼り付け片下縁に向けて傾斜した切り込みｍ，ｎを入れ、上記２分した底蓋フラップの左側部分で、その右下端に上記ミシン目の延長線より張出した三角状折り畳み片１３，１４を、折り畳み線ｑ，ｒを介して形成し、上記底蓋フラップの高さを妻板の幅の１／２より大きくしてなる。【選択図】図１
2006176188.tif 000002
【特許請求の範囲】
【請求項１】
妻板１，３と側板２，４および糊代片５とを縦方向の折り畳み線ａ，ｂ，ｃ，ｄを介して水平方向に順次連設し、上記妻板１，３と側板２，４の下縁に横方向の折り畳み線ｅ，ｆ，ｇ，ｈを介して、それぞれ底蓋フラップ６，７，８，９を連設し、上記底蓋フラップ７，９の右端に４５度の傾斜折り畳み線ｉ，ｊを設けて貼り付け片１１，１２とし、この貼り付け片１１，１２が、上記底蓋フラップ６，８の貼り付け部１１ｘ，１２ｘに貼り付けられるようにしたボトムロック函体１０において、上記底蓋フラップ７，９の１／２幅の位置に、縦方向で妻板の幅の１／２高さのミシン目ｋ，ｌを入れ、そのミシン目ｋ，ｌの下端から貼り付け片１１，１２下縁に向けて傾斜した切り込みｍ，ｎを入れ、上記折り畳み線ｉ，ｊの付け根部分に切り込みｏ，ｐを設け、上記２分した底蓋フラップ７，９の左側部分で、その右下端に上記ミシン目ｋ，ｌの延長線より張出した三角状折り畳み片１３，１４を、折り畳み線ｑ，ｒを介して形成し、上記底蓋フラップ７，９の高さを妻板の幅の１／２より大きくしてなることを特徴とするボトムロック函体。
【請求項２】
上記ミシン目ｋ，ｌに替えてハーフカットラインとしたことを特徴とする請求項１に記載のボトムロック函体。
【請求項３】
上記妻板１，３および側板２の上側に折り畳み線ｓ，ｔ，ｕを介して上蓋フラップ１５，１６，１７を連設したことを特徴とする請求項１又は２に記載のボトムロック函体。
【発明の詳細な説明】
【技術分野】
【０００１】
この発明は、函体の妻板と側板とを平行四辺形状から平に折り畳み、その際、函体の底蓋が妻板と側板との間に折り畳まれ、函起こしをすると、それに従って折り畳まれた底蓋が戻って函底を形成するボトムロック函体に関する。
【背景技術】
【０００２】
ボトムロックタイプの函体の先行技術として、特許文献１がある。
【０００３】
【特許文献１】特開平８−１６９４３６号公報（要約および図１）
【０００４】
上記ボトムロック函体は、長手方向の折り畳み線を介して内外蓋フラップを連設し、天地方向の折り畳み線を介して妻板２，３および側板４，５ならびに糊代片６を連設し、かつ、妻板および側板の下側に長手方向の折り畳み線を介して、それぞれ底蓋フラップ１１，１２，１３，１４を配設し、特に、側板の下側に配設した底蓋フラップ１３，１４の隅角部には斜め方向の折り畳み線ｍ，ｎを介して略三角形状の固定片１５，１６を形成し、さらに、上記底蓋フラップの下端部略中央に嵌合溝１７，１８を穿設し、加えて嵌合溝の端縁部を構成する舌片１９，２０を斜め方向の折り畳み線ｏ，ｐを介して配設したものである（上記符号は公開公報のもの）。
【０００５】
また、別の従来例として次のものが使用されてきた。図３及び図４に示すように、妻板１、側板２、妻板３、側板４および糊代片５が、それぞれ折り畳み線a，ｂ，ｃ，ｄを介して水平方向に連設され、妻板１の下には底蓋フラップ６、側板２の下には底蓋フラップ７、妻板３の下には底蓋フラップ８、側板４の下には底蓋フラップ９がそれぞれ折り畳み線ｅ，ｆ，ｇ，ｈを介して連設されている。
【０００６】
上記底蓋フラップ７，９の右端には、４５度の傾斜折り畳み線ｉ，ｊを設けて貼り付け片１１，１２を形成し、この貼り付け片１１，１２は、上記底蓋フラップ６，８の貼り付け部１１ｘ，１２ｘに貼り付けられてボトムロック函体となる。
【０００７】
上記底蓋フラップ７，９には、貼り付け片１１，１２の左側に台形状の抉り取り部ｍ’，ｎ’が設けられ、上記妻板１，３および側板２の上側には、折り畳み線ｓ，ｔ，ｕ，を介して上蓋フラップ１５，１６，１７を連設することができる。
【０００８】
上記ボトムロック函体は、糊代片５に接着材（例えば両面接着テープ）を貼り付け、妻板の端を重ね合わせて貼り合せ、筒状にした状態で貼り付け片１１，１２に接着材を貼り付けて、貼り付け部１１ｘ，１２ｘを重ね合わせて接着し、底蓋フラップ７，９の抉り取りラインは函の裏側に、その左側は函の内部に嵌り込んだ状態で組み立てられる。
【発明の開示】
【発明が解決しようとする課題】
【０００９】
上記の先行技術に係るボトムロック函体は、函起こしがされて底蓋が組み立てられた状態で隙間ができないようにした点で効果を発揮するものであったが、不正開封を防止、あるいは不正開封されたときには、直ちにそれが判明するようになっていなかった。
【００１０】
特に医薬品を包装する函体にあっては、厚生省薬務局長通知で「開封された場合、開封されたことが直ちに判明し、それを復元することができないか、復元したときには、それが直ちに判明するようにすること」とされている。
【００１１】
従って、ボトムロック函体においても、上蓋フラップ部分の封緘は、粘着テープ等で目張りされるので開封すれば、直ちにそれが判明するが、ボトムロック構造の底蓋フラップは、開封の形跡を明確に残し不正開封の防止に叶う構造になっていなかった。
【００１２】
そこでこの発明は、ボトムロック構造の底蓋フラップの構造を改良して、不正開封がされたときには、その形跡が明確に残り、不正開封があったことが直ちに判明するボトムロック函体を提供することを課題とする。
【課題を解決するための手段】
【００１３】
上記課題を解決するためにこの発明は、妻板と側板および糊代片とを縦方向の折り畳み線を介して水平方向に順次連設し、上記妻板と側板の下縁に横方向の折り畳み線を介して、それぞれ底蓋フラップを連設し、上記底蓋フラップの右端に４５度の傾斜折り畳み線を設けて貼り付け片とし、この貼り付け片が、上記妻板の下縁に連設した底蓋フラップの貼り付け部に貼り付けられるようにしたボトムロック函体において、上記側板の下縁に連設した底蓋フラップの１／２幅の位置に、縦方向で妻板の幅の１／２高さのミシン目を入れ、そのミシン目の下端から貼り付け片下縁に向けて傾斜した切り込みを入れ、上記折り畳み線の付け根部分に切り込みを設け、上記２分した底蓋フラップの左側部分で、その右下端に上記ミシン目の延長線より張出した三角状折り畳み片１３，１４を、折り畳み線ｑ，ｒを介して形成し、上記底蓋フラップ７，９の高さを妻板の幅の１／２より大きくしてなり（請求項１）、上記ミシン目に替えてハーフカットライン（請求項２）とすることができ、上記妻板および側板の上側に折り畳み線を介して上蓋フラップ（請求項３）を連設することができる。
【発明の効果】
【００１４】
上記の如く構成するこの発明によれば、底蓋を貼り合わせた状態で平に折り畳むことができ、函起こしをした状態では底蓋に隙間ができず、三角状折り畳み片１３，１４の張出し部分によって、切り込みｖ，ｗがミシン目ｋ，ｌに突き当たる部分で交叉結合するので、底蓋を通常の手段で開函することができず、強いて開函するにはミシン目ｋ，ｌに沿って引き裂かねばならず、不正開函を直ちに発見することができる。
【発明を実施するための最良の形態】
【００１５】
次にこの発明の実施の形態を、図面を参照しながら説明する。図１は、この発明に係るボトムロック函体の展開図で、図２は、函起こしをした状態の底部を透視した斜視図である。
【００１６】
妻板１、側板２、妻板３、側板４および糊代片５は、それぞれ折り畳み線a，ｂ，ｃ，ｄを介して水平方向に連設され、妻板１の下縁には底蓋フラップ６、側板２の下縁には底蓋フラップ７、妻板３の下縁には底蓋フラップ８、側板４の下縁には底蓋フラップ９がそれぞれ折り畳み線ｅ，ｆ，ｇ，ｈを介して連設されている。
【００１７】
上記底蓋フラップ７，９の右端に略４５度の傾斜折り畳み線ｉ，ｊを設けて貼り付け片１１，１２を形成し、この貼り付け片１１，１２は、上記底蓋フラップ６，８の貼り付け部１１ｘ，１２ｘに貼り付けられてボトムロック函体となる。
【００１８】
上記底蓋フラップ７，９には、幅方向の中心位置に縦方向で、妻板の幅の１／２高さのミシン目ｋ，ｌを入れ、そのミシン目ｋ，ｌの下端から、上記貼り付け片１１，１２下縁に向けて斜めの切り込みｍ，ｎを入れ、上記折り畳み線ｉ，ｊの付け根部分に切り込みｏ，ｐを設けてある。なお、上記ミシン目ｋ，ｌに替えてハーフカットラインとすることができる。
【００１９】
上記ミシン目ｋ，ｌによって２分した底蓋フラップ７，９の左側部分の右下端に、上記ミシン目ｋ，ｌの延長線より張出す、三角状折り畳み片１３，１４が折り畳み線ｑ，ｒを介して形成され、上記底蓋フラップ７，９の高さを妻板の幅の１／２より大きくしてなる。
【００２０】
上記妻板１，３および側板２の上側には、折り畳み線ｓ，ｔ，ｕ，を介して上蓋フラップ１５，１６，１７を連設することができる。また、上記上蓋フラップ１６の上端には挿し込みフラップ１６’が折り畳み線ｔ’を介して連設されている。また、側板４の上端には、開函用のジッパー１８が設けられている。
【００２１】
上記ボトムロック函体は、糊代片５に接着材（例えば両面接着テープ）を貼り付け妻板の端を重ね合わせて貼り合せ、筒状にした状態で貼り付け片１１，１２に接着材を貼り付けて、貼り付け部１１ｘ，１２ｘを重ね合わせて接着する。このとき上記貼り合せ部分は函体の外側に位置し、右端に三角状折り畳み片１３，１４を形成した底蓋フラップ７，８の左側部分は函体の内側に位置するようにする。
【００２２】
上記のように組み立てたボトムロック函体１０は、組み立てるときに、切り込みｖ，ｗは、三角状折り畳み片１３，１４の張出し部分を乗り越えて交叉結合する。従って、一旦、組み立てると容易に函を開くことはできない。
【産業上の利用可能性】
【００２３】
以上説明した如くこの発明によれば、函起こしをすると隙間のない、強固で容易に開くことができない底蓋が形成され、開封するには上蓋の貼り付け部や開梱ジッパーでもって開梱するか、底蓋の場合、ミシン目に沿って引き裂かねばならないから、開口の形跡が明確に残り、不正開梱による内部商品の抜き取りや入れ替えを完全に防止でき、医療の安全を担保するものである。
【図面の簡単な説明】
【００２４】
【図１】本発明に係るボトムロック函体の展開図
【図２】同底部透視斜視図
【図３】従来例のボトムロック函体の展開図
【図４】同底部透視斜視図
【符号の説明】
【００２５】
１，３  妻板
２，４  側板
５  糊代片
６，７，８，９  底蓋フラップ
１０  ボトムロック函体
１１，１２  貼り付け片
１３，１４  三角状折り畳み片
１５，１６，１７  上蓋フラップ
１６’  挿し込みフラップ
１８  ジッパー
ａ，ｂ，ｃ，ｄ，ｅ，ｆ，ｇ，ｈ，ｉ，ｊ，ｑ，ｒ，ｓ，ｔ，ｕ  折り畳み線
ｋ，ｌ  ミシン目
ｍ，ｎ，ｏ，ｐ，ｖ，ｗ  切り込み
【図１】
2006176188.tif 000003
【図２】
2006176188.tif 000004
【図３】
2006176188.tif 000005
【図４】
2006176188.tif 000006